(57)【要約】【課題】本発明の目的は、モータを冷却するために設けられるファンの回転によって発生するファン風を利用して、被切断材上のケガキ線上に切粉が堆積することを抑制するようにし、切断精度の向上及び作業性の向上を図ることができる携帯用電気丸鋸を提供することである。【解決手段】少なくとも一部の隔壁５ｄの少なくとも鋸刃収納部５ａ側付近のファン７の回転方向手前側の壁面を、鋸刃収納部５ａに向かうに従ってファン７の回転方向側に傾斜させた。【選択図】  図１
2004330657.tif 000002
【特許請求の範囲】
【請求項１】
モータを収納するハウジングと、前記モータにより回転駆動される鋸刃と、前記ハウジングに取付けられ、前記鋸刃外周のほぼ上側半分を覆う形状をし、前記鋸刃の一部を収納する鋸刃収納部を有したソーカバーと、前記ハウジングと連結され、被切断材上を摺動可能な底面を持ち、前記鋸刃を前記底面より下方に突出可能な開口部を有するベースと、前記モータにより回転駆動され、回転時に発生するファン風によって前記モータの冷却を行うファンとを有し、該ファンと前記鋸刃収納部との間の前記ソーカバーの壁面にファン風を前記鋸刃収納部へと排出するファン風排出口及び該ファン風排出口を区画形成する複数の隔壁を設けた携帯用電気切断機であって、少なくとも一部の前記隔壁の少なくとも前記鋸刃収納部側付近の前記ファンの回転方向手前側の壁面を、前記鋸刃収納部に向かうに従って前記ファンの回転方向側に傾斜させたことを特徴とする携帯用電気切断機。
【請求項２】
前記隔壁の前記ファンの回転方向奥側の壁面を前記回転方向手前側の壁面と平行に延びる形状としたことを特徴とする請求項１記載の携帯用電気切断機。
【請求項３】
前記ハウジングと前記ベースとが前記ベース底面からの前記鋸刃の突出量を変更するように相対回動可能であり、前記鋸刃の突出量が最大の状態で、前記ファンの回転中心軸付近から切断方向前方側の前記隔壁に前記傾斜部分を設けたことを特徴とする請求項１あるいは請求項２記載の携帯用電気切断機。
【請求項４】
前記傾斜部分を有した前記隔壁は、前記ファン側の端部付近の前記ファンの回転方向手前側の壁面が前記ファンの回転軸方向に延びた減速部分を持ち、前記傾斜部分は前記減速部分の壁面に対して傾斜したガイド部分であることを特徴とする請求項１〜請求項３のいずれか１項記載の携帯用電気切断機。
【請求項５】
前記隔壁のうち、前記鋸刃の突出量が最大の状態で、前記ファンの回転中心軸より切断方向後方側の前記隔壁の前記ファンの回転方向手前側の壁面は前記ファンの回転軸方向に延びた形状をしていることを特徴とする請求項３記載の携帯用電気切断機。
【請求項６】
前記減速部分と前記ガイド部分との境目は角形状であることを特徴とする請求項４記載の携帯用電気切断機。
【請求項７】
前記ファンの回転軸方向から見た際に、前記ガイド部分を有する前記隔壁の前記鋸刃収納部側の端部と、該隔壁の前記ファンの回転方向側の隣り合う隔壁の前記ファン側の端部との間に隙間が生じる形状をしていることを特徴とする請求項１〜請求項６のいずれか１項記載の携帯用電気切断機。
【請求項８】
前記隙間は前記ファンの回転軸を中心とした半径方向内側から外側にかけて略平行な隙間であることを特徴とする請求項７記載の携帯用電気切断機。
【請求項９】
前記鋸刃収納部内の前記ファン側内壁に下端が前記開口部の切断方向前方端部よりも切断方向後方側に位置する段差を設けたことを特徴とする請求項１〜請求項８のいずれか１項記載の携帯用電気切断機。
【請求項１０】
前記段差は前記ソーカバーの前記鋸刃収納部の前記モータ側外壁に設けられ、前記鋸刃と平行な平面部を有する凹部により形成されるもので、該凹部には前記ベースの切断方向前方端部及び該端部よりも切断方向前方を照射する照射装置が取付けられることを特徴とする請求項９記載の携帯用電気切断機。
【請求項１１】
前記ベースの底面であって、前記開口部から前記ベースの切断方向前方端部まで連通した溝部を設けたことを特徴とする請求項１〜請求項１０のいずれか１項記載の携帯用電気切断機。
【請求項１２】
前記ベース上面には、前記溝部上方部と非溝部上方部とに渡って延びる補強リブが設けられていることを特徴とする請求項１１記載の携帯用電気切断機。
【発明の詳細な説明】
【０００１】
【発明の属する技術分野】
本発明は、モータの冷却を行なうファンのファン風をハウジングからソーカバーの鋸刃収納部内に排出する構成をした携帯用電気切断機（以下、携帯用電気丸鋸として説明する）に関するものである。
【０００２】
【従来の技術】
従来の携帯用電気丸鋸の一例として、実用新案登録第２６０７４８０号に記載されているように、モータを収納するハウジングと、モータにより回転駆動される鋸刃と、ハウジングに取付けられ、鋸刃外周のほぼ上側半分を覆うことが可能な形状をし、鋸刃の一部を収納する鋸刃収納部を有したソーカバーと、ハウジングと連結され、被切断材上を摺動可能な底面を持つベースと、モータにより回転駆動され、回転時に発生するファン風によってモータの冷却を行うためのファンとを有し、ファンと鋸刃収納部との間のソーカバーの壁面にファン風を鋸刃収納部側へと排出するファン風排出口及びファン風排出口を区画形成する複数の隔壁を設けた構成の携帯用電気丸鋸がある。
【特許文献１】
実用新案登録第２６９０７４８０号公報
【０００３】
【発明が解決しようとする課題】
携帯用電気丸鋸を用いて木材等の被切断材を切断する際には、被切断材上に予め描いたケガキ線に沿うように切断を行なうことにより切断精度の向上を図るようにしているが、ベースの切断方向前方部に設けた鋸刃刃先の切断方向の延長線上に位置し、鋸刃の位置を指し示すガイドピースをケガキ線に合わせることによって間接的に鋸刃刃先とケガキ線との位置関係を確認しながら切断を行なう手段と、切断される直前の被切断材上のケガキ線と鋸刃刃先との位置関係を直接的に確認しながら切断作業を行う手段とが一般的に行なわれている。
【０００４】
しかしながら、被切断材の切断時に大量に発生する切粉が被切断材上に堆積することにより、ケガキ線が見え難くなってしまう場合があり、ケガキ線と鋸刃刃先との位置関係が確認し難く、切断精度の低下を招くと共に、作業性が低下してしまう場合があった。
【０００５】
切粉が被切断材上に堆積する理由としては、切断作業中に発生した切粉が舞い上がることにより被切断材上に堆積することが挙げられるが、集塵機等を用いて切断作業時に切粉が舞い上がることを防止しながら切断作業を行う場合であっても、他の切断作業や他の工具による種々の作業時等に被切断材上に切粉や粉塵等が堆積してしまいケガキ線が見え難くなってしまうこと等がある。
【０００６】
このような場合、切断作業前に被切断材上の切粉を拭き取る、もしくは吹き飛ばす等して被切断材上のケガキ線を確認し易くする必要があり、作業性が低下してしまうと共に、作業中においては作業を一時中断する必要等があり、切断精度の低下及び作業性の低下を招く恐れがあった。
【０００７】
なお、上記した従来の携帯用電気丸鋸は、ファン風排出口を区画形成する複数の隔壁がファンの回転軸線を中心として放射状に延びると共に、ファンの回転軸線と平行に延びる面を有する構成となっているが、ファン風排出口を介して鋸刃収納部内に排出されたファン風は、ファン風排出口を通過する際にファンの回転軸線方向に沿って排出されるよう方向性が出され、鋸刃収納部内の鋸刃側面もしくは、通常時にはベース下面よりも下方に突出する鋸刃の外周を覆うように構成され切断作業時には鋸刃収納部内に収納されるように回動可能に設けられたセーフティーカバーの側面に衝突し、その後鋸刃あるいはセーフティーカバーの側面に沿うように拡散する。拡散されたファン風は、ソーカバーの内壁と鋸刃あるいはセーフティーカバーとの間を介してソーカバーの外部へと排出されるが、ファン風が鋸刃あるいはセーフティーカバーの側面に対してほぼ直角に衝突するため、衝突後ファン風は広範囲に渡ってほぼ均一に拡散し、また、鋸刃の回転によって生じる鋸刃収納部内の空気の流れによってファン風は比較的切断方向後方より排出されることもあり、ファン風を利用してケガキ線上に切粉が堆積することを抑制する効果はない。
【０００８】
また、ファンは遠心ファンが用いられ、遠心ファンの回転により遠心ファンの半径方向外側に向かって吐き出されたファン風は、ファン風はハウジングの内壁に沿って、ほぼ旋回しながらファン風排出口を通り鋸刃収納部内に排出されるものであるが、ファン風排出口内におけるファン排出風及びファン風排出口から排出されるファン排出風の風量及び風速は、ファンの回転軸を中心とした半径方向外側において大きく、半径方向内側においては小さくなってしまうものであった。このため、半径方向外側における騒音の発生が問題となり、これを解消するためにファンを小型化する、あるいはモータの回転数を減少させる等した場合には、風量不足となりモータの冷却性能が低下してしまうものであった。
【０００９】
本発明の目的は、上記欠点を解消するために、モータを冷却するために設けられるファンの回転によって発生するファン風を利用して、被切断材上のケガキ線上に切粉が堆積することを抑制するようにし、切断精度の向上及び作業性の向上を図ることができる携帯用電気丸鋸を提供することである。
【００１０】
【課題を解決するための手段】
上記目的を達成するために、本発明の携帯用電気丸鋸は、少なくとも一部の隔壁の少なくとも鋸刃収納部側付近のファンの回転方向手前側の壁面を、鋸刃収納部に向かうに従ってファンの回転方向側に傾斜させた構成とする。
【００１１】
ここで、隔壁のファンの回転方向奥側の壁面を回転方向手前側の壁面と平行に延びる形状とすることが好ましい。
【００１２】
また、ハウジングとベースとがベース底面からの鋸刃の突出量を変更するように相対回動可能であり、鋸刃の突出量が最大の状態で、ファンの回転中心軸付近から切断方向前方側の隔壁に傾斜部分を設けることが好ましい。
【００１３】
また、傾斜部分を有した隔壁は、ファン側の端部付近のファンの回転方向手前側の壁面がファンの回転軸方向に延びた減速部分を持ち、傾斜部分は減速部分の壁面に対して傾斜したガイド部分であることが好ましい。
【００１４】
また、隔壁のうち、鋸刃の突出量が最大の状態で、ファンの回転中心軸より切断方向後方側の隔壁のファンの回転方向手前側の壁面はファンの回転軸方向に延びた形状とすることが好ましい。
【００１５】
また、減速部分とガイド部分との境目は角形状とすることが好ましい。
【００１６】
また、ファンの回転軸方向から見た際に、ガイド部分を有する隔壁の鋸刃収納部側の端部と、隔壁のファンの回転方向側の隣り合う隔壁のファン側の端部との間に隙間が生じる形状とすることが好ましい。
【００１７】
また、隙間はファンの回転軸を中心とした半径方向内側から外側にかけて略平行な隙間であることが好ましい。
【００１８】
また、鋸刃収納部内のファン側内壁に下端が開口部の切断方向前方端部よりも切断方向後方側に位置する段差を設けることが好ましい。
【００１９】
また、段差はソーカバーの鋸刃収納部のモータ側外壁に設けられ、鋸刃と平行な平面部を有する凹部により形成されるもので、凹部にはベースの切断方向前方端部及び端部よりも切断方向前方を照射する照射装置が取付けられることが好ましい。
【００２０】
また、ベースの底面であって、開口部からベースの切断方向前方端部まで連通した溝部を設けることが好ましい。
【００２１】
更に、ベース上面には、溝部上方部と非溝部上方部とに渡って延びる補強リブを設けることが好ましい。
【００２２】
【発明の実施の形態】
以下、本発明携帯用電気丸鋸の一実施形態を図面を用いて説明する。
【００２３】
図に示すように、本発明携帯用電気丸鋸は、モータ１を内蔵したハウジング２と、ハウジング２に一体もしくは別部材として連結して設けられ、モータ１の駆動を制御するスイッチ３ａを有したハンドル３と、モータ１により回転駆動される鋸刃４と、ハウジング２に取付けられ、鋸刃４外周のほぼ上側半分を覆う形状をし、鋸刃４の外周及びモータ１側の側面の一部を収納する鋸刃収納部５ａを有したソーカバー５と、ソーカバー５を介してハウジング２と連結され、被切断材上を摺動可能な底面６ａを持ち、鋸刃５を底面６ａより下方に突出可能な開口部６ｂを有するベース６と、モータ１の出力軸１ａに回転固定して設けられ、モータ１の駆動により回転し、回転時に発生するファン風によってモータの冷却を行なうファン７とを有し、ファン７と鋸刃収納部５ａとの間のソーカバー５の部分にファン風を鋸刃収納部５ａ側へと排出するファン風排出口５ｃ及びファン風排出口５ｃを区画形成する複数の隔壁５ｄを設けた構成をしている。
【００２４】
図６に示すようにモータ１を内部に支持・収納するハウジング２の一端面には、ハウジング２内部と外部とを連通させる空気吸入口２ａが設けられている。ファン７はモータ１の出力軸１ａに回転固定されており、モータ１が駆動することにより出力軸１ａと共に回動する。ファン７が回動すると、空気吸入口２ａよりハウジング２内部に空気（ファン風）が流入し、その空気はモータ１外周を通り、これによりモータ１が冷却される。このようにファン７はファン風によってモータ１の冷却を行うことを目的に設けられている。なお、ファン７の回転方向は、図２に示す時計回り方向である。
【００２５】
モータ１の出力軸１ａの一端側には、ピニオンギヤ８が一体もしくは別体として設けられており、そのピニオンギヤ８はソーカバー５に回動可能に保持されたギヤ９と噛合している。ギヤ９は同軸の駆動軸１０に固定されており、この駆動軸１０はギヤ９を挟むように配置された同軸上の軸受１１、１２によってソーカバー５に回動可能に保持されている。駆動軸１０上には、駆動軸１０に対して回転不能な一対の鋸刃固定部材１３が取付けられており、鋸刃固定部材１３間に鋸刃４を挾持固定することによって、モータ１の駆動時に出力軸１ａの回転力がピニオンギヤ８、ギヤ９、駆動軸１０及び鋸刃固定部材１３を介して伝達され、鋸刃４による切断作業が可能となる。上記したピニオンギヤ８、ギヤ９によって出力軸１ａの回転力が１段減速され、鋸刃４に伝達される。なお、鋸刃４の回転方向は図２に示す反時計回り方向である。
【００２６】
携帯用電気丸鋸には、鋸刃収納部５ａ内において駆動軸１０と同軸上で回動可能に保持され、鋸刃収納部５ａ内に収納可能で、鋸刃４外周のほぼ半分を覆う形状をしたセーフティーカバー１７が設けられている。セーフティーカバー１７は図示しないスプリング等の付勢手段によって付勢されており、図１に示すように大半部分がベース６の底面６ａよりも下方に突出し鋸刃４外周が露出するのを防止する回動位置が初期状態となっている。切断作業時には、セーフティーカバー１７の切断方向前方側端部（図２の右側）が被切断材の端部に当接し、その状態で携帯用電気丸鋸が切断方向に摺動することによってスプリングに抗して鋸刃収納部５ａ内に収納されるように回動し、ベース６の底面６ａにおいて鋸刃４が露出する。被切断材上面に端面と連続しない切断加工を行う窓抜き作業等の場合には、作業者がレバー１７ａを操作することによってもセーフティーカバー１７を回動させベース６の底面６ａにおいて鋸刃４を露出させることができる。
【００２７】
ソーカバー５は、図６及び図１１に示すようにピニオンギヤ８を収納するピニオンギヤ収納部５ｅを有している。このピニオンギヤ収納部５ｅはほぼ円形形状をしており、ピニオンギヤ収納部５ｅのほぼ中心位置にピニオンギヤ８を位置させるために、ソーカバー５にはピニオンギヤ８を回転可能に支持する軸受１４が圧入等により取付けられる。
【００２８】
ソーカバー５は、図６に示すように端面がハウジング２端面とねじ１５によって取付けられる。ソーカバー５は鋸刃収納部５ａとハウジング２側の端面との間においてピニオンギヤ収納部５ｅを有すると共に、ギヤ９を収納する形状をしているが、この鋸刃収納部５ａとハウジング２側の端面との間の部分がギヤケーシングとして機能している。
【００２９】
このソーカバー５のギヤケーシング部分は少なくともギヤ９の幅寸法（出力軸１ａの軸方向の寸法）以上の幅を持っているが、図に示すようにハウジング２内を流れモータ１を冷却し終えたファン風をハウジング２から鋸刃収納部５ａ内に排出するためのファン風排出口５ｃがピニオンギヤ８の半径方向外側に位置するよう設けられている。
【００３０】
ファン風排出口５ｃは、ソーカバー５に一体あるいは別体として設けられた複数の隔壁５ｄによって区画形成されている。隔壁５ｄは図６に示すようにソーカバー５のギヤケーシング部分の幅寸法Ｌの１／３程度の幅寸法Ｌ１（出力軸１ａの軸方向の寸法）を持っている。また、ファン風排出口５ｃの出力軸１ａを中心とした半径方向の寸法は、ファン７の羽根部分の外周がファン風排出口５ｃの範囲内に位置するようになっている。
【００３１】
ファン７の半径方向外側に向けて吹き出されたファン風はハウジング２内に設けられたファンガイド１９によってハウジング２の内壁に沿って、ほぼ旋回しながらファン風排出口５ｃを通り鋸刃収納部５ａ内に排出されるが、ファン風はファン風排出口５ｃを通る際にソーカバー５の隔壁５ｄに衝突し、これによって排出速度が低減され、ファン風による騒音の発生を低減するようになっている。なお、複数の隔壁５ｄによってファン風排出口５ｃを区画形成する構成とすることにより、ファン風排出口５ｃの面積を確保しつつソーカバー５の強度を確保するようにしている。
【００３２】
上記したようなソーカバー５は、図２に示すようにベース６の長手方向両端側付近において鋸刃４を挟むようにベース６と連結されている。
【００３３】
ソーカバー５とベース６との切断方向前方側（図２の右側）における一方の連結部構造について説明する。ソーカバー５の切断方向前方側端部付近には、鋸刃４の回転軸方向にほぼ平行に延びた穴５ｆ（図１０、図１１、図１４参照）が設けられおり、この穴５ｆには回動軸部材２０が挿入されている。この回動軸部材２０はソーカバー５の前記穴５ｆを挟むように配置するほぼコ字形状（図４参照）をしたヒンジ保持部２１に相対回転可能に保持されており、ヒンジ保持部２１はベース６上に設けられベース６の上面に沿う方向に延びると共に鋸刃４の回転軸方向に直交する方向に延びた第１の傾斜支点を構成するピン２２（図１、図５参照）によってベース６に回動可能に連結されている。
【００３４】
ベース６の切断方向前方側端部付近には、上記したピン２２が設けられていると共に、ピン２２を中心とした円弧形状の長穴２３ａを有するベベルプレート２３がベース６の切断方向前方端面とほぼ平行に延びるように突設されている。ヒンジ保持部２１に取付けられ、ベベルプレート２３の長穴２３ａ内に配置されるボルト２４を締付けることによって、ヒンジ保持部２１をベベルプレート２３を介してベース６に固定することができ、これによってピン２２を支点として回動したヒンジ保持部２１の回動状態を係止することができる。
【００３５】
次にソーカバー５とベース６との切断方向後方側（図２の左側）における他方の連結部構造ついて説明する。ベース６の切断方向後方側端面付近には、ベース６の上面に沿う方向に延びると共に鋸刃４の回転軸方向に直交する方向に延びた第２の傾斜支点を構成するピン２５（図７参照）が設けられている。ピン２５とピン２２は、両者を結ぶ仮想線がほぼ鋸刃４の長手方向に平行になるように配置されている。
【００３６】
ピン２５には、上方部分がソーカバー５の鋸刃収納部５ａ内に挿入され、ソーカバー５の鋸刃収納部５ａの上側内壁にほぼ沿う形状をしたリンク２６の下端付近が連結され、リンク２６はピン２５を支点として回動可能となっている。
【００３７】
リンク２６には長手方向に延びる長穴２６ａが設けられており、長穴２６ａ内にはソーカバー５に取付けられたボルト２７が配置し、このボルト２７を締付けることによってリンク２６とソーカバー５との相対移動を不能とすることができるようになっている。従って、ソーカバー５とベース６との一方の連結において、ソーカバー５とベース６とは回動軸部材２０を支点として相対的に回動することができ、この回動によってベース６の底面からの鋸刃４の突出量、すなわち切り込み深さを変更することができるものであるが、この切込み深さ調整をボルト２７の締付け操作によって制御することができ、ボルト２７の操作によって切込み深さを調整することができる。
【００３８】
図７に示すようにソーカバー５とベース６との他方の連結部においても、ベース６にはピン２５を中心とした円弧形状の長穴２８ａを有するベベルプレート２８がベース６の切断方向後方端面とほぼ平行に延びるように突設されており、リンク２６にはベベルプレート２８の長穴２８ａ内に配置されるボルト２９が取付けられており、ボルト２９を締付けることによりベース６に対するリンク２６の位置を固定することができる。
【００３９】
上記したように第１の傾斜支点を構成するピン２２と第２の傾斜支点を構成するピン２５を介してソーカバー５とベース６とは連結されており、第１、第２の傾斜支点を支点としてソーカバー５とベース６とが相対的に回動することができ、この回動によって、ベース６の底面に対する鋸刃４の角度を傾斜させることができる。
【００４０】
図１８〜図２０はピン２２及びピン２５を支点として鋸刃４の側面がベース６の底面６ａに対して４５度の角度を形成するようにベース６に対してソーカバー５を傾斜させた状態を示すもので、本実施形態で設定されている最大傾斜角度の４５度に傾斜している。
【００４１】
ヒンジ保持部２１及びリンク２６は、ベベルプレート２３、２８の長穴２３ａ、２８ａの範囲内で傾斜回動可能となっており、ベベルプレート２３、２８の鋸刃４側の壁面に沿って傾斜回動する。ベベルプレート２３、２８の鋸刃４側の壁面は面精度を出すため、機械加工がなされており（特にベベルプレート２３）、ヒンジ保持部２１及びリンク２６の一部分とほぼ当接する構成とすることによって、ソーカバー５とベース６とのピン２２及びピン２５を支点とした相対回動時の位置精度が出るようにしている。
【００４２】
なお、本実施形態では、ベース６の切断方向前方側端部付近及び後方側端部付近の両方にベベルプレート２３及びベベルプレート２８を設けた構成としたが、これは傾斜時に本体に加わる荷重によって傾斜角度にずれが生じてしまうことを抑制するためであり、いずれか一方、特に切断方向前方端部側付近にのみベベルプレート２３が設けられた構成であっても良い。
【００４３】
通常傾斜角度時の支点となる傾斜支点は、傾斜切断時にベース６下面から鋸刃４が突出する位置が直角切断時と大幅に異ならないようにすると共に傾斜切断時の切込み深さをより多く得るために、鋸刃４の長手方向延長線上に近い位置に傾斜支点であるピン２２及びピン２５を設けた構成をしているが、これに対して、ハンドル３は鋸刃４から離れた個所に位置しており、このため、ハンドル３に加わった荷重がベース６に対してソーカバー５及びハウジング２が傾斜回動する方向に働いてしまう。このため不意に切込み深さが変更してしまうことを抑制すると共に、傾斜位置の精度を向上する目的でソーカバー５とベース６との切断方向前方側と後方側の両方の連結部にベベルプレート２３、２８を設けることが好ましい。
【００４４】
次に本発明携帯用電気丸鋸を構成するベース６について以下説明する。
【００４５】
図１５に示すようにベース６の両端側付近には上述したベベルプレート２３、２８が設けられている。ベベルプレート２３、２８はベース６の両端側の側面に沿って延びていると共に、ベース６の底面６ｂに直交するようにベース６上面に突設している。
【００４６】
上述したベース６とソーカバー５との連結部を構成するピン２２、２５はベース６に保持されるものであるが、切断方向前方側のピン２２は図１６に示す突出部３０に設けられた保持穴３１内において保持され、切断方向後方側のピン２５は図１７に示す突出部３２に設けられた保持穴３３内において保持される。この保持穴３０と３１とは中心軸が同一線上に位置するように形成され、これは鋸刃４の長手方向にほぼ平行となっている。なお、突出部３０及び保持穴３１をピン２２の軸方向に２つ設け、保持穴３１の間においてヒンジ保持部２１と連結する構成とするとピン２２の変形を抑制することができ、切断作業時等にハンドル３を介してソーカバー５に作業者からの押圧力が過大に加わったとしても、傾斜角度のずれ、切込み深さのずれの発生を抑制することができる。
【００４７】
突出部３０、３２はベース６の上方に突出する形状をしているが、ベベルプレート２３、２８と連続して設けられている。
【００４８】
図８及び図９に特に表されるようにベース６の底面６ａの切断方向前方側には、開口部６ｂと連通し、切断方向前方側の端部まで延びた溝部６ｃが設けられている。この溝部６ｃは図８及び図９に示す状態において、鋸刃４の長手方向延長線上に位置し、鋸刃４の刃先の幅寸法よりも大きな幅寸法を有している。また、この溝部６ｃの幅寸法は、傾斜切断時においても鋸刃４側面とベース６の底面６ａとが交差する線の延長線が溝部６ｃの範囲内に位置するようになっている（図１８参照）。
【００４９】
溝部６ｃの高さ寸法は、溝部６ｃ周辺部分のベース６の厚さ寸法に対して約半分以下となっている。
【００５０】
溝部６ｃの切断方向前方部分には、図１、図４、図５等に示すように鋸刃４の刃先位置を指し示すガイドピース１６がベース６上面にねじ１８によって取付けられる。このガイドピース１６は、ベース６の底面６ａに対する鋸刃４側面の角度が直角である時の鋸刃４の刃先を指し示すガイド部１６ａと、ベース６の底面６ａに対する鋸刃４側面の角度が４５度である時の鋸刃４の刃先を指し示すガイド部１６ｂとを有する構成をしている。
【００５１】
ガイドピース１６は底面がベース６の溝部６ｃの上面とほぼ同一面となるよう形成されているが、ガイド部１６ａ、１６ｂは底面よりも下方に突出し、ベース６の底面６ｂまで延びる形状をしている。これによって、被切断材上に描かれたケガキ線に対するガイド部１６ａあるいは１６ｂの位置を容易に合せることができるようにしている。
【００５２】
溝部６ｃは鋸刃４の長手方向延長線上に形成されており、また上述したピン２２においても鋸刃４の長手方向延長線に近い位置に設けられたものであるため、溝部６ｃが形成されるベース６の上面においてピン２２が位置することとなる。ピン２２を保持する保持穴３１を形成する突出部３０は図１６に示されるように、溝部１６ｃの上方部分及び非上方部分に渡って延びた形状をしている。これにより、切断作業時等にハンドル３を介してソーカバー５に作業者からの押圧力が過大に加わった際に、ピン２２を介してベース６の特に溝部６ｃ付近が変形してしまうことを抑制するようにしている。また、溝部１６ｃの上方部分及び非上方部分に渡って延び突出部３０と連続した補強リブ６ｅがベース６上方に突出して設けられており、これによっても溝部６ｃ付近の強度向上を図っている。この補強リブ６ｅは、突出部３０と独立して設けられても良い。
【００５３】
なお、溝部６ｃと連通したベース６に設けられている穴６ｄは、突出部３０の鋸刃４側の面の面精度を出す際に行った機械加工により形成されたものであるが、ベース６上面近傍においてピン２２を保持する構成としたことによりベース６上面よりも下方に突出するヒンジ保持部２１を収納する機能も有する。
【００５４】
次に本発明携帯用電気丸鋸を構成するソーカバー５に設けられたファン風排出口５ｃ、特にファン風排出口５ｃを区画形成する複数の隔壁５ｄについて以下説明する。
【００５５】
なお、図２３〜図２７はそれぞれ図１１のａ−ａ線断面図、ｂ−ｂ線断面図、ｃ−ｃ線断面図、ｄ−ｄ線断面図、ｅ−ｅ線断面図であり、図２８及び図２９は図１に示す携帯用電気丸鋸より鋸刃を取外した状態を示す斜視図及び正面図、図３０は図２９に示す状態より一方の連結部である回動軸部材２０を支点としてソーカバー５とベース６とを相対回転させた状態を示す正面図、図３１及び図３２は図２９に示す状態よりセーフティーカバーを回動させた状態を示す正面図及び斜視図である。
【００５６】
本実施形態では、ファン風排出口５ｃを区画形成する隔壁５ｄが７個設けられており、ファン風排出口５ｃはファン７の回転中心軸Ｏを中心として放射状に配置されている。隔壁５ｄはファン７の回転方向の順（図１１に示す反時計回り方向）に隔壁５ｄａ１、５ｄａ２、５ｄａ３、５ｄｂ、５ｄｃ１、５ｄｃ２、５ｄｃ３と配置されている。本実施形態のこれらの隔壁５ｄはソーカバー５と一体に形成されたものである。なお、隔壁５ｄは、隔壁５ｄによって区画形成されたファン風排出口とファン風排出口との間に配置される壁を指す。
【００５７】
本実施形態の隔壁５ｄは、３つの種類に分かれる。１つはファン７の回転軸方向に沿って延びた隔壁５ｄａ１〜５ｄａ３であり、これらの隔壁５ｄａ１〜５ｄａ３はファン排出風をファン７の回転軸方向に沿って排出するよう機能する。隔壁５ｄａ１〜５ｄａ３は、ファン７の回転方向手前側に位置し、図２９に示す状態の携帯用電気丸鋸の正面側より見た際には、ファン７の回転軸Ｏよりも、且つ鋸刃４の回転中心軸Ｐよりも切断方向後方側に位置する。
【００５８】
もう１つは、ファン７の回転軸方向に沿って延びる減速部分５ｄｃ１ａ〜５ｄｃ３ａと、減速部分５ｄｃ１ａ〜５ｄｃ３ａに対して傾斜して延びるガイド部分５ｄｃ１ｂ〜５ｄｃ３ｂを持つ隔壁５ｄｃ１〜５ｄｃ３であり、これらの隔壁５ｄｃ１〜５ｄｃ３はファン排出風を切断方向前方側（図２９の右側）へ排出するよう機能する。減速部分５ｄｃ１ａ〜５ｄｃ３ａは、ファン７側に形成され、ガイド部分５ｄｃ１ｂ〜５ｄｃ３ｂは鋸刃収納部５ａ側に形成されている。隔壁５ｄｃ１〜５ｄｃ３は、隔壁５ｄａ１〜５ｄａ３よりもファン７の回転方向奥側に位置し、図２９に示す状態の携帯用電気丸鋸の正面側より見た際には、ファン７の回転軸Ｏよりも、且つ鋸刃４の回転中心軸Ｐよりも切断方向前方側に位置する。
【００５９】
更にもう１つの隔壁５ｄは、ファン７の回転方向で隔壁５ｄａ１〜５ｄａ３と隔壁５ｄｃ１〜５ｄｃ３との間に位置する隔壁５ｄｂであり、この隔壁５ｄｂはファン７の回転軸方向に沿って隔壁５ｄｃ１〜５ｄｃ３とほぼ同程度延びた減速部分５ｄｂａと、減速部分５ｄｂａに対して傾斜して延びるガイド部分５ｄｂｂを持つものである。隔壁５ｄｂは、図２９に示す状態の携帯用電気丸鋸の正面側より見た際には、鋸刃４の回転中心軸Ｐのほぼ上方部分に位置する。
【００６０】
上記した隔壁５ｄｂ及び隔壁５ｄｃ１〜５ｄｃ３が持つ、ガイド部分５ｄｂｂ及びガイド部分５ｄｃ１ｂ〜５ｄｃ３ｂは、ファン７の回転方向手前側の壁面が減速部分５ｄｂａ及び減速部分５ｄｃ１ｂ〜５ｄｃ３ｂのファン７の回転方向手前側の壁面に対してほぼ４５度の角度を持つように形成されており、そのガイド部分５ｄｂａ及び５ｄｃ１ｂ〜５ｄｃ３ｂは鋸刃収納部５ａ側端部に向かうに従って、減速部分５ｄｂａ及び５ｄｃ１ｂ〜５ｄｃ３ｂのファン７の回転方向手前側の壁面から離れるように延びた形状をしている。
【００６１】
隔壁５ｄａ１〜５ｄａ３、隔壁５ｄｂ及び隔壁５ｄｃ１〜５ｄｃ３の減速部分５ｄｂａ及び５ｄｃ１ｂ〜５ｄｃ３ｂは、図１１に示すようにファン７の回転中心軸Ｏを中心とした放射方向に対して傾斜して設けられている。この傾斜方向は、隔壁５ｄａ１〜５ｄａ３、減速部分５ｄｂａ及び５ｄｃ１ｂ〜５ｄｃ３ｂの半径方向外側部分が内側部分に対してファン７の回転方向に反する方向に延びており、その傾斜角度（図１０に示す角度θ）は４５度となっている。
【００６２】
ファン７の駆動時には、ファン排出風がファン風排出口５ｃを介してソーカバー５の鋸刃収納部５ａ内に排出されるが、このファン風排出口５ｃを通る際にファン排出風は旋回しながらファン風排出口５ｃに流入される。ファン風排出口５ｃ内に流入したファン排出風は、隔壁５ｄのファン７の回転方向手前側の壁面に衝突し、これにより減速され、隔壁５ｄの壁面に沿って鋸刃収納部５ａ側に流れる。この際に、ファン排出風はファン７の回転軸Ｏをとして旋回しながら流入するが、上記したように隔壁５ｄａ１〜５ｄａ３、減速部分５ｄｂａ及び５ｄｃ１ａ〜５ｄｃ３ａが傾斜して形成されているため、隔壁５ｄの壁面に沿ってファン排出風は半径方向内側に向かいながら鋸刃収納部５ａ側に排出される。ファン７が遠心ファンであることにより、ファン排出風はハウジング２内のファンガイド１９によってハウジング２内壁に沿いながらファン風排出口５ｃ内に流入するが、このため従来の隔壁５ｄの形状ではファン風排出口５ｃより鋸刃収納部５ａ側に排出されるファン排出風は、半径方向外側の風量及び排出速度が大きく、半径方向内側の風量及び排出速度が小さくなってしまうものであった。本発明では、上記したような隔壁５ｄの形状を採用することにより、ファン風排出口５ｃより鋸刃収納部５ａ側に排出されるファン排出風を、半径方向外側では風量を小さく且つ排出速度を小さくすることができ、騒音の発生を低減することができる。また、半径方向内側においては、ファン排出風の風量を大きくすることができ、これによって全体的なファン風量を確保することができる。
【００６３】
なお、上記効果を得るためには、隔壁５ｄのうちのファン７の回転方向手前側の壁面がファン７の回転中心軸Ｏを中心とした放射方向に対して、ファン７の回転方向に反する方向に傾斜していれば足りるものであるが、上記したように、隔壁５ｄ全体あるいは隔壁５ｄのうちのファン７側の減速部分全体が傾斜した形状とする、すなわちファン７の回転方向奥側の壁面についても同様に傾斜した形状とすることによって、隔壁５ｄ間の各ファン風排出口５ｃの風路面積を大きく確保することができるようにしている。
【００６４】
隔壁５ｄａ１〜５ｄａ３及び隔壁５ｄｂの減速部分５ｄｂａのファン７の回転方向手前側の壁面（図２３及び図２４の下側の壁面）に衝突したファン排出風は、壁面に沿って隔壁５ｄａ１〜５ｄａ３及び隔壁５ｄｂの減速面５ｄｂａによって区画形成されるファン風排出口５ｃを通り、鋸刃収納部５ａ内に排出される。ファン排出風は鋸刃収納部５ａ内においてほぼセーフティーカバー１７のファン７側の側面に衝突し、セーフティーカバー１７の側面に沿うように拡散する。拡散されたファン排出風の一部は、鋸刃収納部５ａとセーフティーカバー１７との間を通り、ソーカバー５の切断方向後方側付近に排出されるが、図２、図３に示すように切込み深さが大きな時には、切断方向後方側（図２の左側）のベース６上面にファン排出風が排出され、この個所に切粉が堆積することを抑制することができる。
【００６５】
隔壁５ｄｃ１〜５ｄｃ３の減速部分５ｄｃ１ａ〜５ｄｃ３ａのファン７の回転方向手前側の壁面（図２５〜図２７の図示右側の壁面）に衝突したファン排出風は、壁面に沿ってファン風排出口５ｃを通り、減速部分５ｄｃ１ａ〜５ｄｃ３ａと連続したガイド部分５ｄｃ１ｂ〜５ｄｃ３ｂのファン７の回転方向手前側の壁面（図２５〜図２７の図示上側の壁面）にほぼ沿いながら鋸刃収納部５ａ内に排出される。
【００６６】
なお、隔壁５ｄｃ１〜５ｄｃ３の減速部分５ｄｃ１ａ〜５ｄｃ３ａとガイド部分５ｄｃ１ｂ〜５ｄｃ３ｂのファン７の回転方向手前側の壁面の境目は、図に示すようにＲではなく直線形状、すなわち角形状となっている。減速部分５ｄｃ１ａ〜５ｄｃ３ａの面積を小さくすると、減速部分に衝突せずにファン風排出口５ｃより鋸刃収納部５ａ内に排出される風速の高いファン排出風が発生してしまい、騒音が発生してしまうという問題があるが、上記したような構成とすることによりこれを解消することができる。
【００６７】
本実施形態では、図に示すように隔壁５ｄｃ１〜５ｄｃ３のガイド部分５ｄｃ１ａ〜５ｄｃ３ａのファン７の回転方向奥側の壁面及び、隔壁５ｄｂのガイド部分５ｄｂｂのファン７の回転方向奥側の壁面についても同様に傾斜した形状をしており、これによりファン風排出口５ｃの面積の確保を行うことができると共に、隔壁５ｄｂ、５ｄｃ１〜５ｄｃ３間のファン風排出口５ｃの形状をファン７の回転軸方向に対して傾斜した形状とすることができ、よりガイド部分の形状に沿ってファン排出風が鋸刃収納部５ａ内に排出されるようにしている。
【００６８】
隔壁５ｄｃ１〜５ｄｃ３のガイド部分５ｄｃ１ａ〜５ｄｃ３ａに沿って鋸刃収納部５ａ内に排出されたファン排出風は、ファン７の回転中心軸Ｏから見て切断方向前方側の方向に排出されることとなり、鋸刃収納部５ａ内のセーフティーカバー１７のファン７側の側面あるいは鋸刃４のファン７側の側面に傾斜した角度で衝突する。
【００６９】
セーフティーカバー１７の側面あるいは鋸刃４の側面に衝突したファン排出風は、側面に沿いながらその大部分はファン７の回転中心軸Ｏから見て回動軸部材２０側への方向成分を持って流れる。
【００７０】
このようにセーフティーカバー１７の側面あるいは鋸刃４の側面に沿って流れたファン排出風の一部は、図２に示すように切込み深さが最大付近の状態では特にベース６の開口部６ｂの範囲内に向かって流れる。
【００７１】
また、ソーカバー５の鋸刃収納部５ａ内の側壁の、ファン風排出口５ｃとソーカバー５の切断方向前方側下端との間には、鋸刃４側に向かって突出する段差５ｇが設けられている（図１４、図２８〜図３２参照）。この段差５ｇは、図２９及び図３０に示す状態においてもその下端がベース６の開口部６ｂの切断方向前方側端部よりも切断方向後方側に位置する個所に設けられている。
【００７２】
ファン排出風の一部は、この段差５ｇに衝突し、段差５ｇに沿ってソーカバー５下方に向かい、その後切断方向前方側に向かって流れ、ベース６の開口部６ｂの範囲内に向かって排出される。図３０に示すように回動軸部材２０を支点としてソーカバー５とベース６を相対的に回動させた際には、鋸刃４の側面に沿ってファン排出風が開口部６ｂの範囲内に排出される部分もあるが、段差５ｇの作用によってファン排出風が開口部６ｂの範囲内に排出される部分も多い。
【００７３】
なお、図３、図４、図６に示すようにソーカバー５の鋸刃収納部５ａのハウジング２（モータ１）側外壁に、ベース６の切断方向前方端部及び該端部よりも切断方向前方において鋸刃４の刃先位置を指し示すレーザー光を照射する照射装置３４ａ、及び開口部６ｂの切断方向前方付近（特に鋸刃４の刃先部付近）において鋸刃４の刃先位置を指し示すレーザー光を照射する照射装置３４ｂを持つレーザーユニット３４が取付けられている。ソーカバー５の鋸刃収納部５ａのハウジング２側外壁には、図４、図１２に示すようにほぼ鋸刃４の側面と平行に延びた平面部５ｉａを有する凹部５ｉが設けられており、この平面部５ｉａには図１１に示すように２個のねじ穴５ｉｂが設けられている。レーザーユニット３４は２個のＬＥＤ３４ａａを有する照射装置３４ａ部分が平面部５ｉａにほぼ面接触した状態でねじ３５によって平面部５ｉａに取付けられる。レーザーユニット３４はハンドル３に設けられた照射装置用スイッチ３ｂ（図１参照）によって起動が制御されるものであり、携帯用電気丸鋸の電源を用いて起動可能となっている。
【００７４】
照射装置３４ｂは、図２８〜図３２に示すようにソーカバー５の下端よりベース６側に突出する形状をしており、レーザー光の照射方向が鋸刃４側面に対して傾斜する図示しないＬＥＤを有しており、鋸刃４の刃先部付近を照射するようになっている。
【００７５】
上記した構成とすることによって、レーザーユニット３４の配置、特に比較的遠い個所となるベース６の切断方向前方端部付近及び該端部よりも切断方向前方位置においてレーザー光を照射する照射装置３４ｂの配置については、位置精度が要求されるものであるが、これをレーザーユニット３４の外形形状及びソーカバー５に形成した平面部５ｉａによって容易に位置決めを行うことができるようになり、組立性を向上させることができるようになる。
【００７６】
本発明を構成するソーカバー５は、上記凹部５ｉの形成と同時に鋸刃収納部５ａ内のハウジング２（ファン７）側内壁に形成される段差５ｇを形成するものである。
【００７７】
なお、図５、図１８、図２０に示すように照射装置３４ａのＬＥＤ３４ａａの軸方向の延長線上に位置するヒンジ保持部２１の一部には、ＬＥＤ３４ａａから照射されるレーザー光を妨げることが無いように凹部２１ａが設けられている。
【００７８】
なお、図３１及び図３２に示すように切込み深さが最大付近でセーフティーカバー１７がベース６の底面６ａよりも下方に突出しないように回動した状態にあっては、すべてのファン風排出口５ｃのファン７の軸方向位置にセーフティーカバー１７の側面が位置しないように傾斜面１７ｂを設けた構成をしている。これによって、セーフティーカバー１７の側面に衝突し側面に沿って排出されたファン排出風、及びファン風排出口５ｃから直接的に排出されたファン排出風がベース６の開口部６ｂに向かって流れ難くなることを抑制している。
【００７９】
また、図３１及び図３２に示すようにすべてのファン風排出口５ｃのファン７の軸方向位置にセーフティーカバー１７の側面が位置しない状態で、セーフティーカバー１７の一部がソーカバー５の鋸刃収納部５ａ内の回動規制手段の機能を兼ね備えた段差５ｇと当接し、それ以上はセーフティーカバー１７が図３１に示す時計回り方向に回動しないようになっている。
【００８０】
また、ファン風排出口５ｃを区画形成する複数の隔壁５ｄの一部の隔壁５ｄｂ、５ｄｃ１〜５ｄｃ３は、上述したように鋸刃収納部５ａ側の端部が傾斜したものであるが、図１０、図２９及び図３０に示すようにファン７の回転軸方向から見て隣り合う隔壁５ｄの間に隙間があるように形成されている。具体的には、ファン７の回転軸方向から見て、隔壁５ｄｂのガイド部分５ｄｂｂの鋸刃収納部５ａ側の端面と、隔壁５ｄｃ１の減速部分５ｄｃ１ａのファン７側の端面との間には隙間が設けられており、隔壁５ｄｃ２と隔壁５ｄｃ３との関係も同様である。このような構成とすることにより、ソーカバー５を型成形により形成することができるものである。
【００８１】
また、ファン７の回転軸方向から見て、隔壁５ｄｂ、５ｄｃ１、５ｄｃ２のガイド部分５ｄｂｂ、５ｄｃ１ｂ、５ｄｃ２ｂの鋸刃収納部５ａ側の端面と、隣り合う隔壁５ｄｃ１、５ｄｃ２、５ｄｃ３の減速部分５ｄｃ１ａ、５ｄｃ２ａ、５ｄｃ３ａのファン７側の端面とがほぼ平行となるように形成されている。このため、ガイド部分５ｄｂｂ、５ｄｃ１ｂ、５ｄｃ２ｂと減速部分５ｄｂａ、５ｄｃ１ａ、５ｄｃ２ａとは半径方向内側と外側とで若干異なる角度で連結している（ガイド部分５ｄｂｂ、５ｄｃ１ｂ、５ｄｃ２ｂは連続した面で形成されている。）。このような構成とすることによって、隔壁５ｄ間の面積を有効に使ってファン排出風をファン７の回転中心軸Ｏから見て切断方向前方側へと排出するためのファン風排出口５ｃの形状を形成することができる。
【００８２】
なお、ファン７の回転方向で隔壁５ｄｃ３の次には、隔壁５ｄｃ３との間にファン風排出口５ｃを区画形成するための壁５ｈが設けられているが、この壁５ｈのファン７の回転方向手前側の壁面は、隔壁５ｄと同様に傾斜しているものであると共に、隔壁５ｄｃ３のガイド部分５ｄｃ３ｂの鋸刃収納部５ａ側の端面は壁５ｈの壁面と平行となるように形成されている。
【００８３】
上記したように隔壁５ｄの一部の隔壁５ｄｂ及び５ｄｃ１〜５ｄｃ３に、鋸刃収納部５ａ側のファン７の回転方向手前側の壁面を、壁面の延長線がファン７の回転中心軸方向に対して交差するよう傾斜すると共に、鋸刃収納部５ａ側の端部に向かうに従ってファン７の回転中心軸から離間するように傾斜したガイド部分５ｄｂｂ及び５ｄｃ１ｂ〜５ｄｃ３ｂを設けたことにより、ファン排出風がベース６の開口部６ｂの範囲内に排出されるようになり、これによって切断時に鋸刃４の刃先とベース６の底面６ａの延長線との交点（すなわち切断部）の周辺に切粉が堆積することを抑制することができるようになる。このため、切断部付近の視認性が向上し、切断部手前のケガキ線の視認性を向上することができ、作業性を向上させることができるようになる。
【００８４】
また、ベース６の底面６ａの切断方向前方には、開口部６ｂと連通しベース６の切断方向前方端部まで延びた溝部６ｃが設けられているが、上記したように開口部６ｂの範囲内に排出されたファン排出風が被切断材の上面に衝突し、上面に沿って溝部６ｃ内に流れ込み、溝部６ｃを介してベース６の端部よりも切断方向前方側に吹き出される。これによって、ベース６よりも切断方向前方側の被切断材上に切粉が堆積することを抑制することができるようになる。特に、溝部６ｃが鋸刃４の長手方向の延長線上に位置するよう形成されていることにより、被切断材上面に描かれたケガキ線上をファン排出風が流れることになり、ケガキ線上に切粉が堆積することを抑制することができ、作業性を向上させることができる。
【００８５】
なお、傾斜可能な携帯用電気丸鋸である場合、傾斜時においても鋸刃４の長手方向の延長線上に溝部６ｃが位置するよう溝部６ｃは幅寸法を持っているため、傾斜切断作業であっても同様に作業性を向上させることができるものである。
【００８６】
なお、ベース６の切断方向前方端部付近に設けられたガイドピース１６の底面が溝部６ｃの上面とほぼ同一面となるように形成されているため、溝部６ｃ内に流れ込んだファン排出風をガイドピース１６に阻害されることなくベース６端部よりも切断方向前方側に吹き出すことができるようになっている。
【００８７】
また、隔壁５ｄの少なくともファン７側の部分（隔壁５ｄａ１〜５ｄａ３、の減速部分５ｄｂａ及び５ｄｃ１ｂ〜５ｄｃ３ｂ）のファン７の回転方向手前側の壁面を、ファン７の回転中心軸Ｏを中心とした放射方向に対して半径方向外側部分が内側部分に対してファン７の回転方向に反する方向に傾斜した形状としたことにより、騒音の発生を抑制しつつファン７のファン排出風の風量を確保することができるようにしているが、これにより騒音を低減しつつ開口部６ｂの範囲内に排出されるファン排出風及び溝部６ｃ内に流れ込むファン排出風の風量をより多くすることができる。
【００８８】
また、ファン排出風を開口部６ｂの範囲内に排出するためにガイド部分５ｄｂｂ及び５ｄｃ１ｂ〜５ｄｃ３ｂを設けた隔壁５ｄｂ及び５ｄｃ１〜５ｄｃ３に、減速部分５ｄｂａ及び５ｄｃ１ａ〜５ｄｃ３ａを設けたことにより、騒音の発生を抑制しつつ開口部６ｂの範囲内にファン排出風を排出することができるようになる。
【００８９】
また、隔壁５ｄの少なくとも一部にファン７の回転軸方向に対して傾斜したガイド部分５ｄｂｂ及び５ｄｃ１ｂ〜５ｄｃ３ｂを設けたことにより、隔壁５ｄが持つソーカバー５の補強効果を向上させることができるものである。
【００９０】
また、すべての隔壁５ｄのファン７側の部分をファン７の回転中心軸Ｏを中心とした放射方向に対して傾斜した形状とした構成とすることにより、上述したように騒音の発生を更に抑制することができると共にファン排出風の風量を確保することができるものであるが、隔壁５ｄの補強効果が低下してしまうものであるが、これを隔壁５ｄの少なくとも一部に鋸刃収納部５ａ側の端部付近においてファン７の回転軸方向に対して傾斜したガイド部分５ｄｂｂ及び５ｄｃ１ｂ〜５ｄｃ３ｂを設けた構成とすることにより、隔壁５ｄの補強効果を補うことができるものである。
【００９１】
また、切断作業時に鋸刃４がロックした時等には、ギヤ９とピニオンギヤ８とが相互に離間する方向に軸受１１、１２、１４を介してソーカバー５に負荷が働くが、図２９に示すようにピニオンギヤ８と同軸であるファン７の回転中心軸Ｏを中心としてギヤ９と同軸である鋸刃４の回動中心軸Ｐの対象位置付近にガイド部分５ｄｃ１ｂ〜５ｄｃ３ｂを有する隔壁５ｄｃ１〜５ｄｃ３が位置する構成となっているため、前記した負荷が加わり易い部分での隔壁５ｄによる補強効果を向上させることができソーカバー５の寿命を向上させることができる。
【００９２】
また、本実施形態では、隔壁５ｄｃ１〜５ｄｃ３に減速部分５ｄｃ１ａ〜５ｄｃ３ａを設けた構成としたが、ベース６の開口部６ｂの範囲内にファン排出風を排出する、あるいはベース６に設けられた溝部６ｃを介してベース６端部の切断方向前方側にファン排出風を排出する目的を達成するためには、隔壁５ｄｃ１〜５ｄｃ３はガイド部分５ｄｃ１ｂ〜５ｄｃ３ｂのみから成る形状としても良い。
【００９３】
また、ファン風排出口５ｃをファン７の回転中心軸Ｏを中心として放射状に配置した構成としたことにより、切込み深さを変えた際にもいずれかのファン風排出口５ｃより排出されたファン排出風が鋸刃４の側面あるいはセーフティーカバー１７の側面に衝突し、側面に沿いながら開口部６ｂの範囲内に排出されるようになるため、切込み深さが異なる切断作業であっても作業性を向上させることができる。
【００９４】
また、溝部６ｃの鋸刃４の回動軸方向の幅寸法を開口部６ｂよりも小さくし、溝部６ｃ内に両側面が存在する形状としたことにより、溝部６ｃ内に流れ込んだファン排出風が切断方向への方向性を持ちベース６の端部より切断方向前方に排出されるようになる。
【００９５】
なお、開口部６ｂの範囲内に排出されたファン排出風が溝部６ｃを通りベース６の切断方向前方端部よりも前方側に排出される構成であれば、ベース６の底面６ａに溝部６ｃを覆うような部材を設けた構成としても良い。
【００９６】
なお、本実施形態では、ソーカバー５の一部とベース６とが連結され、ソーカバー５を介してハウジング２とベース６とが連結される構成としたが、本発明はこの構成に限られるものではなく、直接的にハウジング２とベース６とが連結する構成、あるいはハウジング２と相対移動不能な部材とベース６とが連結される構成であっても良い。
【００９７】
【発明の効果】
上記したように本発明によれば、少なくとも一部の隔壁の少なくとも鋸刃収納部側付近のファンの回転方向手前側の壁面を、鋸刃収納部に向かうに従ってファンの回転方向側に傾斜させた構成とすることにより、ファン排出風がセーフティーカバーあるいは鋸刃側面に衝突し、その後切断方向前方側に向かって排出されるようになり、ファン排出風の一部がベースの開口部の範囲内に排出されやすくなり、切断部付近における切粉の堆積を抑制することができ、作業性の向上を図ることができるようになる。
【００９８】
更に、ベース底面であって、開口部とベースの切断方向前方端部とを連通する溝部を設けた構成とすることによって、開口部の範囲内に排出されたファン排出風が溝部を介してベース端部よりも切断方向前方側に排出されるようになり、ベース端部よりも切断方向前方における被切断材上の切粉の堆積を抑制することができ、更に作業性の向上を図ることができるようになる。
【図面の簡単な説明】
【図１】本発明携帯用電気丸鋸の一実施形態を示す斜視図。
【図２】図１に示す携帯用電気丸鋸の正面図。
【図３】図１に示す携帯用電気丸鋸の背面図。
【図４】図１に示す携帯用電気丸鋸の平面図。
【図５】図１に示す携帯用電気丸鋸の右側面図。
【図６】図２のＡ−Ａ線断面図。
【図７】図１に示す携帯用電気丸鋸の左側面図。
【図８】図１に示す携帯用電気丸鋸の底面図。
【図９】図１に示す携帯用電気丸鋸の底面斜視図。
【図１０】本発明携帯用電気丸鋸を構成するソーカバーの一実施形態を示す正面図。
【図１１】図１０に示すソーカバーの背面図。
【図１２】図１０に示すソーカバーの平面図。
【図１３】図１０のＢ−Ｂ線断面図。
【図１４】図１２のＣ−Ｃ線断面図。
【図１５】本発明携帯用電気丸鋸を構成するベースの一実施形態を示す正面図。
【図１６】図１５の右側面図。
【図１７】図１５の左側面図。
【図１８】図１に示す携帯用電気丸鋸であって、鋸刃側面とベース底面との角度を傾斜させた状態（傾斜角度＝４５度）を示す右側面図。
【図１９】図１に示す携帯用電気丸鋸であって、鋸刃側面とベース底面との角度を傾斜させた状態（傾斜角度＝４５度）を示す左側面図。
【図２０】図１に示す携帯用電気丸鋸であって、鋸刃側面とベース底面との角度を傾斜させた状態（傾斜角度＝４５度）を示す斜視図。
【図２１】図１に示す携帯用電気丸鋸であって、切込み深さを小さく設定した状態を示す正面図。
【図２２】図１に示す携帯用電気丸鋸であって、切込み深さを小さく設定した状態を示す左側面図。
【図２３】図１１のａ−ａ線断面図。
【図２４】図１１のｂ−ｂ線断面図。
【図２５】図１１のｃ−ｃ線断面図。
【図２６】図１１のｄ−ｄ線断面図。
【図２７】図１１のｅ−ｅ線断面図。
【図２８】図１に示す携帯用電気丸鋸であって、鋸刃を取外した状態を示す斜視図。
【図２９】図１に示す携帯用電気丸鋸であって、鋸刃を取外した状態を示す正面図。
【図３０】図１に示す携帯用電気丸鋸であって、鋸刃を取外し、ソーカバー（本体）とベースとを回動軸部材を支点として相対回転させた状態を示す正面図。
【図３１】図１に示す携帯用電気丸鋸であって、鋸刃を取外し、セーフティーカバーをその下端がベース底面よりも突出しない位置に回動させた状態を示す正面図。
【図３２】図１に示す携帯用電気丸鋸であって、鋸刃を取外し、セーフティーカバーをその下端がベース底面よりも突出しない位置に回動させた状態を示す斜視図。
【符号の説明】
１はモータ、２はハウジング、３はハンドル、４は鋸刃、５はソーカバー、５ａは鋸刃収納部、５ｃはファン風排出口、５ｄは隔壁、５ｅはｅはピニオンギヤ収納部、５ｆは穴、５ｇは段差、５ｈは壁、５ｉは凹部、６はベース、６ａはベース底面、６ｂは開口部、６ｃは溝部、７はファン、８はピニオンギヤ、９はギヤ、１０は出力軸、１１、１２は軸受、１３は鋸刃固定部材、１４は軸受、１５はねじ、１６はガイドピース、１７はセーフティーカバー、１８はねじ、２０は回動軸部材、２１はヒンジ保持部、２２はピン、２３はベベルプレート、２４はボルト、２５はピン、２６はリンク、２７はボルト、２８はベベルプレート、２９はボルト、３０は突出部、３１は保持穴、３２は突出部、３３は保持穴、３４はレーザーユニット、３５はねじである。
【図１】
2004330657.tif 000003
【図２】
2004330657.tif 000004
【図３】
2004330657.tif 000005
【図４】
2004330657.tif 000006
【図５】
2004330657.tif 000007
【図６】
2004330657.tif 000008
【図７】
2004330657.tif 000009
【図８】
2004330657.tif 000010
【図９】
2004330657.tif 000011
【図１０】
2004330657.tif 000012
【図１１】
2004330657.tif 000013
【図１２】
2004330657.tif 000014
【図１３】
2004330657.tif 000015
【図１４】
2004330657.tif 000016
【図１５】
2004330657.tif 000017
【図１６】
2004330657.tif 000018
【図１７】
2004330657.tif 000019
【図１８】
2004330657.tif 000020
【図１９】
2004330657.tif 000021
【図２０】
2004330657.tif 000022
【図２１】
2004330657.tif 000023
【図２２】
2004330657.tif 000024
【図２３】
2004330657.tif 000025
【図２４】
2004330657.tif 000026
【図２５】
2004330657.tif 000027
【図２６】
2004330657.tif 000028
【図２７】
2004330657.tif 000029
【図２８】
2004330657.tif 000030
【図２９】
2004330657.tif 000031
【図３０】
2004330657.tif 000032
【図３１】
2004330657.tif 000033
【図３２】
2004330657.tif 000034